【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
二重ライザー流動接触分解プロセスであって、
オレフィン、軽質ガスオイル、ガソリンまたはそれらの組み合わせに富む第１流出液を形成するために、第１ライザー条件で第１触媒を含む第１ライザーにおいて、炭化水素供給物を分解すること、
オレフィンに富む第２流出液を形成するために、第２ライザー条件で第２触媒を含む第２ライザーにおいて、炭化水素オキシジェネート供給物を分解すること、
共通の反応器において、第１流出液および第２流出液から、第１触媒および第２触媒を回収すること、
前記炭化水素オキシジェネート供給物の発熱分解からの熱を使用する再生器において、前記回収された第１触媒および第２触媒を再生させること、および
前記再生された第１触媒および第２触媒を、第１ライザーおよび第２ライザーに再循環させること
を含み、
第１ライザーが炭化水素供給物を受け、第２ライザーがオキシジェネート供給物を受ける、プロセス。
【請求項２】
前記炭化水素オキシジェネート供給物が、メタノールを含む、請求項１に記載のプロセス。
【請求項３】
第２ライザー条件が、約５〜１３０の触媒活性（α）を含む、請求項１または２に記載のプロセス。
【請求項４】
前記触媒活性（α）が、約１０である、請求項１〜３のいずれか１項に記載のプロセス。
【請求項５】
第２ライザー条件が、約１〜１５０ｈ−１の重量空間速度（ＷＨＳＶ）を含む、請求項１〜４のいずれか１項に記載のプロセス。
【請求項６】
前記重量空間速度（ＷＨＳＶ）が、約１０〜１００ｈ−１である、請求項１〜５のいずれか１項に記載のプロセス。
【請求項７】
前記重量空間速度（ＷＨＳＶ）が、約２０〜８５ｈ−１である、請求項１〜６のいずれか１項に記載のプロセス。
【請求項８】
第２ライザー条件が、５３８〜７６０℃の温度と、約２０〜８５ｈ−１の重量空間速度（ＷＨＳＶ）とを含む、請求項１〜７のいずれか１項に記載のプロセス。
【請求項９】
第１触媒と、第２触媒とが異なる、請求項１〜８のいずれか１項に記載のプロセス。
【請求項１０】
第１触媒が、ＵＳＹ触媒であり、
第２触媒が、ＺＳＭ−５、ＺＳＭ−１１、ＺＳＭ−４８またはそれらの組み合わせである、
請求項１〜９のいずれか１項に記載のプロセス。
【請求項１１】
前記再生器において、第１触媒の層および第２触媒の層を形成するように、第１触媒の密度と、第２触媒の密度とが異なり、
前記再生された第１触媒および第２触媒を、第１ライザーおよび第２ライザーに再循環させることが、再生された第１触媒を第１触媒の層から第１ライザーに再循環させるために、第１ライザー・スタンドパイプを配置すること、および
再生された第２触媒を第２触媒の層から第２ライザーに再循環させるために、第２ライザー・スタンドパイプを配置すること
をさらに含む、請求項１〜１０のいずれか１項に記載のプロセス。
【請求項１２】
前記共通の反応器内のバッフルによって、第１触媒と、第２触媒とが互いに分離して保たれている、請求項１〜１０のいずれか１項に記載のプロセス。
【手続補正２】
【補正対象書類名】明細書
【補正対象項目名】００５２
【補正方法】変更
【補正の内容】
【００５２】
本明細書に記載される全公文書は、それらが本テキストと矛盾しない程度までいかなる優先権書類および／または試験手順をも含めて、そのような慣行が許される場合、あらゆる管轄権のために本明細書に参照により援用されるが、ただし、当初出願された特許出願または出願文書に指定されなかったいかなる優先権書類も、本明細書に参照により援用されない。前述の概要および具体的な態様から明らかであるように、本発明の形態が例示され、記載されてきたが、様々な変更を、本発明の主旨および範囲から逸脱することなく行うことができる。したがって、本発明がそれによって限定されることは意図されない。さらに、用語「含む（ｃｏｍｐｒｉｓｉｎｇ）」は、用語「含む（ｉｎｃｌｕｄｉｎｇ）」と同じ意味と考えられる。さらに、組成物、要素または要素の群が、移行句「含む」に先行されるときはいつでも、組成物、要素（単数）、または要素（複数）の列挙に先行する移行句「から本質的になる」、「からなる」、「からなる群から選択される」、または「である」付きの同じ組成物または要素の群が考えられ、逆もまた同様である。本発明の態様は、明確に列挙されないまたは記載されないいかなる要素、工程、組成物、成分または他のクレーム要素をも実質的に含まないまたは本質的に含まないものを含む。
本明細書の開示内容は、以下の態様を含み得る。
（態様１）
二重ライザー流動接触分解プロセスであって、
オレフィン、軽質ガスオイル、ガソリンまたはそれらの組み合わせに富む第１流出液を形成するために、第１ライザー条件で第１触媒を含む第１ライザーにおいて、炭化水素供給物を分解すること、
オレフィンに富む第２流出液を形成するために、第２ライザー条件で第２触媒を含む第２ライザーにおいて、炭化水素オキシジェネート供給物を分解すること、
共通の反応器において、第１流出液および第２流出液から、第１触媒および第２触媒を回収すること、
前記炭化水素オキシジェネート供給物の発熱分解からの熱を使用する再生器において、前記回収された第１触媒および第２触媒を再生させること、および
前記再生された第１触媒および第２触媒を、第１ライザーおよび第２ライザーに再循環させること
を含む、プロセス。
（態様２）
前記炭化水素オキシジェネート供給物が、メタノールを含む、態様１に記載のプロセス。
（態様３）
第２ライザー条件が、約５〜１３０の触媒活性（α）を含む、態様１または２に記載のプロセス。
（態様４）
前記触媒活性（α）が、約１０である、態様１〜３のいずれか１項に記載のプロセス。
（態様５）
第２ライザー条件が、約１〜１５０ｈ−１の重量空間速度（ＷＨＳＶ）を含む、態様１〜４のいずれか１項に記載のプロセス。
（態様６）
前記重量空間速度（ＷＨＳＶ）が、約１０〜１００ｈ−１である、態様１〜５のいずれか１項に記載のプロセス。
（態様７）
前記重量空間速度（ＷＨＳＶ）が、約２０〜８５ｈ−１である、態様１〜６のいずれか１項に記載のプロセス。
（態様８）
第２ライザー条件が、５３８〜７６０℃の温度と、約２０〜８５ｈ−１の重量空間速度（ＷＨＳＶ）とを含む、態様１〜７のいずれか１項に記載のプロセス。
（態様９）
第１触媒と、第２触媒とが異なる、態様１〜８のいずれか１項に記載のプロセス。
（態様１０）
第１触媒が、ＵＳＹ触媒であり、
第２触媒が、ＺＳＭ−５、ＺＳＭ−１１、ＺＳＭ−４８またはそれらの組み合わせである、
態様１〜９のいずれか１項に記載のプロセス。
（態様１１）
前記再生器において、第１触媒の層および第２触媒の層を形成するように、第１触媒の密度と、第２触媒の密度とが異なり、
前記再生された第１触媒および第２触媒を、第１ライザーおよび第２ライザーに再循環させることが、再生された第１触媒を第１触媒の層から第１ライザーに再循環させるために、第１ライザー・スタンドパイプを配置すること、および
再生された第２触媒を第２触媒の層から第２ライザーに再循環させるために、第２ライザー・スタンドパイプを配置すること
をさらに含む、態様１〜１０のいずれか１項に記載のプロセス。
（態様１２）
前記共通の反応器内のバッフルによって、第１触媒と、第２触媒とが互いに分離して保たれている、態様１〜１０のいずれか１項に記載のプロセス。